(57)【要約】【課題】各種電子機器に使用されるダンパー装置に関し、簡易な構成で、多様な開閉操作が可能なものを提供することを目的とする。【解決手段】外周に係合部２３Ｂと２３Ｃが形成された略円筒状のガイド部材２３を固定ケース２１内に装着すると共に、固定板２２にこのガイド部材の係合部に当接する外方へ突出した舌片部２２Ａを設けることによって、舌片部２２Ａが係合部２３Ｂや２３Ｃに当接し抵抗を生じさせる固定板２２の数を、回転角度によって変えることで、ダンパー力を開閉角度に応じて変化させることができるため、簡易な構成で、多様な開閉操作が可能なダンパー装置を得ることができる。【選択図】図１
2008128395.tif 000002
【特許請求の範囲】
【請求項１】
略円筒状の固定ケースと、この固定ケース内に収納された複数の固定板と、上記固定ケース内に回転可能に挿入された可動軸と、この可動軸に軸線方向へ移動可能に装着された複数の可動板と、上記固定板と上記可動板を弾接させるばねからなり、外周に係合部が形成された略円筒状のガイド部材を上記固定ケース内に装着すると共に、上記固定板にこのガイド部材の係合部に当接する外方へ突出した舌片部を設けたダンパー装置。
【請求項２】
ばねを可動板に弾接させた請求項１記載のダンパー装置。
【発明の詳細な説明】
【技術分野】
【０００１】
本発明は、携帯電話やパーソナルコンピュータ等の、各種電子機器に使用されるダンパー装置に関するものである。
【背景技術】
【０００２】
近年、携帯電話やパーソナルコンピュータ等の電子機器の小型化や軽量化が進むなか、固定筐体に対し可動筐体が開閉可能に装着された、所謂、折畳み式のものが増えており、これらに用いられるヒンジ装置やダンパー装置においても、確実でより多様な開閉操作が行えるものが求められている。
【０００３】
このような従来のダンパー装置について、図６〜図８を用いて説明する。
【０００４】
図６は従来のダンパー装置の断面図、図７は同分解斜視図であり、同図において、１は略円筒状で金属製の固定ケース、２は略円板状で金属製の複数の固定板で、固定板２の外周には外方へ突出する突起部２Ａが設けられ、この突起部２Ａが固定ケース１の溝部１Ａに挿入されて、複数の固定板２が固定ケース１内に軸線方向へ移動可能に収納されている。
【０００５】
そして、３は固定ケース１内に挿入された金属製の可動軸、４は略円板状で金属製の複数の可動板で、この複数の可動板４が複数の固定板２の間に交互に配置されると共に、可動板４の中央には角孔部４Ａが設けられ、この角孔部４Ａに略角柱状の可動軸３が挿通されて、複数の可動板４が可動軸３に軸線方向へ移動可能に装着されている。
【０００６】
また、５は固定ケース１左側面の開口部を覆うカバー、６はコイル状のばねで、このばね６がやや撓んだ状態でカバー５右側面と固定板２の間に装着されて、複数の固定板２と複数の可動板４を弾接させると共に、複数の固定板２と複数の可動板４の間には高粘度の潤滑剤（図示せず）が塗布されている。
【０００７】
そして、複数の可動板４を装着し、複数の固定板２中央の貫通孔を挿通した可動軸３の右端が、固定ケース１の内側面に回転可能に保持されると共に、カバー５左側面からは可動軸３左端に形成された取付部３Ａが回転可能に突出して、ダンパー装置１０が構成されている。
【０００８】
また、このように構成されたダンパー装置１０は、例えば、図８の携帯電話の斜視図に示すように、固定ケース１が、上面に複数のキーが配列された操作部１１Ａやマイクロフォン等の音声入力部１１Ｂが形成された固定筐体１１へ、可動軸３の取付部３Ａが、表面にＬＣＤ等の表示部１２Ａやスピーカ等の音声出力部１２Ｂが形成された可動筐体１２へ各々固着される。
【０００９】
さらに、固定筐体１１と可動筐体１２の間には、複数のカムやばね（図示せず）等から形成されたヒンジ装置１３が装着され、このヒンジ装置１３によって、可動筐体１２が固定筐体１１に対し、閉方向や開方向へ付勢されるようにして、電子機器が構成される。
【００１０】
以上の構成において、例えば、可動筐体１２が閉じた状態から、固定筐体１１側面の押釦（図示せず）等を押圧操作すると、ヒンジ装置１３のカムやばね等が動作して、可動筐体１２に開く方向の力が加わり、可動筐体１２が開方向へ付勢されて開操作が行われる。
【００１１】
そして、この時、ダンパー装置１０の、可動筐体１２に取付部３Ａが固着された可動軸３も開方向へ回転し、可動軸３に装着された複数の可動板４が回転するが、この可動板４には、可動板４の間に交互に配置され固定ケース１に装着された複数の固定板２が、ばね６によって弾接すると共に、可動板４と固定板２の間には高粘度の潤滑剤が塗布されているため、複数の可動板４と固定板２の間には開方向に対する抵抗が発生する。
【００１２】
つまり、可動筐体１２にはヒンジ装置１３によって開く方向への力が加わるが、同時にダンパー装置１０によって開方向に対する抵抗も加わるため、可動筐体１２の開操作が急激にではなく、緩やかに行われるように構成されている。
【００１３】
なお、ヒンジ装置１３が可動筐体１２を開閉する力は、一般に、可動筐体１２を開いた直後や、所定角度、例えば１６０度前後に開いた状態では、異なる力となっているが、これに対するダンパー装置１０の抵抗、すなわちダンパー力は、潤滑剤を介して弾接した略円板状の複数の可動板４と固定板２の間の抵抗によって生じているため、開いた角度に関係なく常に一定にはたらく。
【００１４】
つまり、可動筐体１２にはダンパー装置１０によって一定の抵抗がはたらき、開閉操作が緩やかには行われるが、その開く速度や所定角度に保持する力は、ヒンジ装置１３の開閉力によって定まるように構成されているものであった。
【００１５】
なお、この出願の発明に関連する先行技術文献情報としては、例えば、特許文献１が知られている。
【特許文献１】特開２００３−６５３２０号公報
【発明の開示】
【発明が解決しようとする課題】
【００１６】
しかしながら、上記従来のダンパー装置においては、潤滑剤を介して弾接した略円板状の複数の可動板４と固定板２の間の抵抗によって、一定のダンパー力しか得ることができず、可動筐体１２を開く速度は、ヒンジ装置１３が可動筐体１２を開く力によって定まるため、例えば、開いた直後から所定角度に開くまでの間、同じ速度で一律に開操作を行うことや、ある角度では速く、ある角度では遅くといった、多様な開閉操作を行うことが困難であるという課題があった。
【００１７】
本発明は、このような従来の課題を解決するものであり、簡易な構成で、多様な開閉操作が可能なダンパー装置を提供することを目的とする。
【課題を解決するための手段】
【００１８】
上記目的を達成するために本発明は、以下の構成を有するものである。
【００１９】
本発明の請求項１に記載の発明は、外周に係合部が形成された略円筒状のガイド部材を固定ケース内に装着すると共に、固定板にこのガイド部材の係合部に当接する外方へ突出した舌片部を設けてダンパー装置を構成したものであり、回転角度によって、舌片部がガイド部材の係合部に当接し抵抗を生じさせる固定板の数を変えることで、ダンパー力を開閉角度に応じて変化させることができるため、簡易な構成で、多様な開閉操作が可能なダンパー装置を得ることができるという作用を有する。
【００２０】
請求項２に記載の発明は、請求項１記載の発明において、ばねを可動板に弾接させたものであり、固定板の舌片部がガイド部材の係合部に当接していない間は、ばね両端の摩擦による抵抗等も生じず、速やかに開閉操作を行うことができるという作用を有する。
【発明の効果】
【００２１】
以上のように本発明によれば、簡易な構成で、多様な開閉操作を行えるダンパー装置を実現することができるという有利な効果が得られる。
【発明を実施するための最良の形態】
【００２２】
以下、本発明の実施の形態について、図１〜図５を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるダンパー装置の断面図、図２は同分解斜視図であり、同図において、２１は略円筒状で鋼や銅合金、焼結合金等の金属製の固定ケース、２２は略円板状で金属製の複数の固定板で、複数の固定板２２が固定ケース２１内に回転、及び軸線方向へ移動可能に収納されると共に、固定板２２外周には外方へ突出した一対の舌片部２２Ａが設けられている。
【００２５】
そして、２３は略円筒状で金属や絶縁樹脂製のガイド部材で、外周の外方へ突出した突起部２３Ａが溝部２１Ａに挿入されて、固定ケース２１内に一体に装着されると共に、ガイド部材２３外周の所定角度離れた位置には、固定板２２の舌片部２２Ａが当接する段差状の係合部２３Ｂと２３Ｃが形成されている。
【００２６】
また、２４は固定ケース２１内に挿入された金属製の可動軸、２５は略円板状で金属製の複数の可動板で、この複数の可動板２５が複数の固定板２２の間に交互に配置されると共に、可動板２５の中央には角孔部２５Ａが設けられ、この角孔部２５Ａに略角柱状の可動軸２４が挿通されて、複数の可動板２５が可動軸２４に軸線方向へ移動可能に装着されている。
【００２７】
さらに、２６は固定ケース２１左側面の開口部を覆うカバー、２７はコイル状で鋼線製のばねで、外方へ突出したカバー２６左端に可動軸２４左端が係止されると共に、カバー２６右端には窪部２６Ａが設けられ、この窪部２６Ａと左端の可動板２５の間に、ばね２７がやや撓んだ状態で装着されている。
【００２８】
なお、このようにカバー２６内に窪部２６Ａを設け、この中にばね２７の左半分を収納することで、左右方向の寸法を小さくし、全体の小型化を図った構成となっている。
【００２９】
そして、ばね２７によって弾接した複数の固定板２２と複数の可動板２５の間には、シリコンやオレフィン、フッ素等の高粘度の潤滑剤（図示せず）が塗布されると共に、複数の可動板２５を装着し、複数の固定板２２中央の貫通孔を挿通した可動軸２４の右端が、止め輪２８によって固定ケース２１の外側面に回転可能に保持されて、ダンパー装置３０が構成されている。
【００３０】
また、このように構成されたダンパー装置３０は、例えば、図３（ｃ）の携帯電話の斜視図に示すように、固定ケース２１が、上面に複数のキーが配列された操作部１１Ａやマイクロフォン等の音声入力部１１Ｂが形成された固定筐体１１へ、可動軸２４が係止されたカバー２６左端が、表面にＬＣＤ等の表示部１２Ａやスピーカ等の音声出力部１２Ｂが形成された可動筐体１２へ各々固着される。
【００３１】
さらに、固定筐体１１と可動筐体１２の間には、複数のカムやばね（図示せず）等から形成されたヒンジ装置１３が装着され、このヒンジ装置１３によって、可動筐体１２が固定筐体１１に対し、閉方向や開方向へ付勢されるようにして、電子機器が構成される。
【００３２】
以上の構成において、図３（ａ）に示すように、可動筐体１２が閉じた状態から、例えば、固定筐体１１側面の押釦（図示せず）等を押圧操作すると、ヒンジ装置１３のカムやばね等が動作して、可動筐体１２に開く方向の力が加わり、可動筐体１２が開方向へ付勢されて開操作が行われる。
【００３３】
そして、図４（ａ）の部分斜視図に示すように、ダンパー装置３０の可動筐体１２に固着されたカバー２６、及びこの左端に係止された可動軸２４も開方向へ回転し、可動軸２４に装着された複数の可動板２５が回転するが、この時、複数の固定板２２の外方へ突出した舌片部２２Ａと、ガイド部材２３外周の係合部２３Ｂ、２３Ｃとの間には間隙があり当接しておらず、また、可動板２５と固定板２２の間には高粘度の潤滑剤が塗布され、ばね２７によって弾接しているため、複数の固定板２２も可動板２５と共に回転する。
【００３４】
つまり、この可動筐体１２が開いた直後は、抵抗を生じさせる複数の固定板２２と可動板２５が共に回転するため、ダンパー力は発生せず、ヒンジ装置１３の開方向への付勢力によって、速やかに可動筐体１２の開操作が行われる。
【００３５】
さらに、この時、カバー２６の窪部２６Ａと左端の可動板２５の間に装着され、やや撓んだ状態のばね２７も、カバー２６や可動板２５と共に回転するため、ばね２７両端と窪部２６Ａや可動板２５間の摩擦による抵抗等も発生せず、より滑らかに開操作が行われるようになっている。
【００３６】
そして、図３（ｂ）に示す角度まで可動筐体１２が開くと、図４（ｂ）に示すように、カバー２６や可動軸２４、可動板２５と共に回転した複数の固定板２２のうち、右方の３枚の固定板２２の舌片部２２Ａが、固定ケース２１に一体に装着されたガイド部材２３の係合部２３Ｂに当接する。
【００３７】
したがって、この後は、右方の３枚の固定板２２は、舌片部２２Ａが係合部２３Ｂに当接して回転しなくなるため、これらとばね２７によって弾接し、間に高粘度の潤滑剤が塗布された、右方の３枚の可動板２５との間に開方向に対する抵抗が発生し、この３枚の固定板２２と可動板２５分のダンパー力が生じるようになる。
【００３８】
さらに、可動筐体１２が図３（ｃ）に示す角度まで開くと、図４（ｃ）に示すように、可動板２５と共に回転した左方の残りの固定板２２も、舌片部２２Ａがガイド部材２３左方の係合部２３Ｃに当接し、全ての固定板２２の回転が止められた状態になる。
【００３９】
そして、この後、可動筐体１２が図３（ｄ）に示す角度に開くまでの間は、図４（ｄ）に示すように、カバー２６や可動軸２４と共に回転する可動板２５の全てと、全ての固定板２２との間に抵抗が発生するため、さらに大きなダンパー力が生じて、緩やかに可動筐体１２の開操作が行われる。
【００４０】
つまり、可動筐体１２が図３（ａ）から図３（ｂ）の角度に開くまでの間は、複数の固定板２２の舌片部２２Ａが、いずれもガイド部材２３の係合部２３Ｂや２３Ｃに当接していないため、ダンパー力は生じず速やかに開操作が行われ、この後、図３（ｃ）までの間は、係合部２３Ｂに右方の３枚の固定板２２のみが当接するため、やや小さなダンパー力が発生し、図３（ｄ）までの間は、係合部２３Ｂや２３Ｃに全ての固定板２２が当接するため、さらに大きなダンパー力が生じて、可動筐体１２の開操作が行われるようになっている。
【００４１】
すなわち、外周に係合部２３Ｂや２３Ｃが形成されたガイド部材２３を固定ケース２１内に一体に装着すると共に、この係合部２３Ｂや２３Ｃに当接する舌片部２２Ａを複数の固定板２２に設け、回転角度に応じて、舌片部２２Ａが係合部２３Ｂや２３Ｃに当接する固定板２２の数を変えることで、可動筐体１２が開いた直後は速やかに開き、図３（ｂ）からはやや小さなダンパー力が、図３（ｃ）からはさらに大きなダンパー力が生じるように構成されている。
【００４２】
なお、上記のように、係合部２３Ｂと２３Ｃを段差状に設け、可動筐体１２が開いた直後は速やかに、その後、段階的にダンパー力を大きくする方法以外にも、ガイド部材を図５の斜視図に示すような形状とすることによって、様々に回転角度に応じてダンパー力を変化させ、多様な開閉操作を行うことが可能である。
【００４３】
つまり、例えば、図５（ａ）に示すように、所定角度に傾斜させて係合部２３Ｄを形成すれば、カバー２６や可動軸２４の回転に応じて、複数の固定板２２が１枚ずつ順次係合部２３Ｄに当接するため、回転に伴って順次ダンパー力が大きくなり、図５（ｂ）に示すように、直線状の係合部２３Ｂと傾斜した係合部２３Ｄを組合わせた形状にすれば、ある角度で一定のダンパー力が生じた後、順次ダンパー力が大きくなるようにすることができる。
【００４４】
また、図５（ｃ）に示すように、段差状の係合部２３Ｂと２３Ｃの間に傾斜状の係合部２３Ｄを設けた形状とすれば、ある程度のダンパー力が生じた後、順次ダンパー力が大きくなり、最後にまたある程度のダンパー力が生じるようになり、図５（ｄ）や（ｅ）に示すように、曲線状に傾斜した係合部２３Ｅや２３Ｆを形成すれば、回転に伴って徐々に大きく、あるいは徐々に小さくダンパー力を変化させることができる。
【００４５】
このように本実施の形態によれば、外周に係合部２３Ｂと２３Ｃが形成された略円筒状のガイド部材２３を固定ケース２１内に装着すると共に、固定板２２にこのガイド部材の係合部に当接する外方へ突出した舌片部２２Ａを設けることによって、舌片部２２Ａが係合部２３Ｂや２３Ｃに当接し抵抗を生じさせる固定板２２の数を、回転角度によって変えることで、ダンパー力を開閉角度に応じて変化させることができるため、簡易な構成で、多様な開閉操作が可能なダンパー装置を得ることができるものである。
【００４６】
また、ばね２７を可動板２５に弾接させることによって、固定板２２の舌片部２２Ａがガイド部材２３の係合部２３Ｂや２３Ｃに当接していない間は、ばね２７両端の摩擦による抵抗等も生じないため、速やかな開閉操作を行うことが可能となる。
【００４７】
なお、以上の説明では、主に可動筐体１２を開く際の操作について説明したが、可動筐体１２を閉じる場合にも同様の効果が得られることは勿論であり、さらに、様々なヒンジ装置の開閉力に応じ、ガイド部材２３の係合部の形状を様々に変え、ダンパー力を変化させることによって、開閉角度に応じて多様な速度で開閉操作を行うことが可能である。
【００４８】
また、以上の説明では、複数の固定板２２と可動板２５の間に高粘度の潤滑剤を塗布することによって、固定板２２と可動板２５の間に開閉方向に対する抵抗、つまりダンパー力を生じさせる構成について説明したが、固定板２２や可動板２５にポリオキシメチレン等の比較的高粘性の材料や、潤滑剤含浸材料等を用い、これらを直接弾接させる構成としても、本発明の実施は可能である。
【００４９】
さらに、固定筐体１１へ固定ケース２１を、可動筐体１２へ可動軸２４が係止されたカバー２６を各々固着する構成として説明したが、これとは逆に、固定筐体１１へ可動軸２４が係止されたカバー２６を、可動筐体１２へ固定ケース２１を各々固着する構成としてもよい。
【産業上の利用可能性】
【００５０】
本発明によるダンパー装置は、簡易な構成で、多様な開閉操作が可能なものを得ることができ、各種電子機器に使用されるダンパー装置として有用である。
【図面の簡単な説明】
【００５１】
【図１】本発明の一実施の形態によるダンパー装置の断面図
【図２】同分解斜視図
【図３】同携帯電話の斜視図
【図４】同部分斜視図
【図５】同ガイド部材の斜視図
【図６】従来のダンパー装置の断面図
【図７】同分解斜視図
【図８】同携帯電話の斜視図
【符号の説明】
【００５２】
１１  固定筐体
１１Ａ  操作部
１１Ｂ  音声入力部
１２  可動筐体
１２Ａ  表示部
１２Ｂ  音声出力部
１３  ヒンジ装置
２１  固定ケース
２１Ａ  溝部
２２  固定板
２２Ａ  舌片部
２３  ガイド部材
２３Ａ  突起部
２３Ｂ、２３Ｃ  ２３Ｄ、２３Ｅ、２３Ｆ  係合部
２４  可動軸
２５  可動板
２５Ａ  角孔部
２６  カバー
２６Ａ  窪部
２７  ばね
２８  止め輪
３０  ダンパー装置
【図１】
2008128395.tif 000003
【図２】
2008128395.tif 000004
【図３】
2008128395.tif 000005
【図４】
2008128395.tif 000006
【図５】
2008128395.tif 000007
【図６】
2008128395.tif 000008
【図７】
2008128395.tif 000009
【図８】
2008128395.tif 000010